(57)【要約】【課題】  近傍視状態において適宜な間隔で言わば外的に遠方視を与えることにより近視や老視を予防するための予防具及びそれを用いた予防方法の提供。【解決手段】  予防具１は、非レンズ状態と所定の焦点距離を与えるレンズ状態とに変化可能な視距離調整手段２を一対備え、且つこの両視距離調整手段２を制御するための制御手段４を備えた構成とし、この予防具の両視距離調整手段を眼鏡様に装着して用いた状態で両視距離調整手段のレンズ状態を制御手段にて制御することにより、近傍視状態のままで所定時間について遠方視を与えるようにしている。【選択図】図１
2005000684.tif 000002
【特許請求の範囲】
【請求項１】
所定の焦点距離を与えるレンズ状態と前記焦点距離とは異なる焦点距離を与える前記レンズ状態とは異なるレンズ状態に変化可能な視距離調整手段を一対備えると共に、この両視距離調整手段のレンズ状態を所定の時間間隔で変化させるように制御するための制御手段を備えてなる近視・老視予防具。
【請求項２】
異なる焦点距離を与える異なるレンズ状態に変化可能な視距離調整手段を一対備えると共に、この両視距離調整手段のレンズ状態を所定の時間間隔で変化させるように制御するための制御手段を備えてなる近視・老視予防具。
【請求項３】
第１の焦点距離を与える第１のレンズ状態と第１の焦点距離とは異なる第２の焦点距離を与える第２のレンズ状態とに変化可能な視距離調整手段を一対備えると共に、この両視距離調整手段の第１のレンズ状態と第２のレンズ状態とを所定の時間間隔で変化させるように制御するための制御手段を備えてなる近視・老視予防具。
【請求項４】
眼鏡様に装着することで、使用者が、一対の前記視距離調整手段を通して外部を見られるようにされてなる、
請求項１、２又は３記載の近視・老視予防具。
【請求項５】
一対の前記視距離調整手段はともに、両面が平面である非レンズ状態と両面乃至片面が球面状態であるレンズ状態を選択的にとれる透明体とされてなる、
請求項１、２又は３記載の近視・老視予防具。
【請求項６】
請求項１、２又は３記載の予防具を用いる近視・老視予防方法であって、予防具の両視距離調整手段を眼鏡様に装着して用いた状態で、制御手段が両視距離調整手段を制御することにより、近傍視状態のままで所定時間について遠方視の状態を与えるようにしてなる近視・老視予防方法。
【発明の詳細な説明】
【技術分野】
【０００１】
本発明は、近視や老視を予防するための予防具及びそれを用いて近視や老視を予防する方法に関する。
【背景技術】
【０００２】
テレビやゲーム機器、あるいは多種多様な出版物の氾濫により近視の原因となる近傍視（近くの視認対象物を見続けること）の過剰化がますます進んで来ている。そして、このような近傍視の過度の継続が近視の大きな原因の一つであることはよく知られている。一方、近傍視に適当な間隔で遠方視を挟んで目を休めることにより、近視のある程度の予防が可能であるとの提言も古くよりなされている。しかし、テレビやゲーム機器などに夢中の状態で遠方視を随時挟むことは現実問題として実行しがたいのが実情である。
【０００３】
また、老視についても、近傍視に遠方視を随時挟むことにより、老視の発生や進行をある程度防止できることが知られているが、この場合にもその実行の現実的困難性は同様である。
【発明の開示】
【発明が解決しようとする課題】
【０００４】
このような事情のもとになされたのが本発明で、近傍視状態において適宜な間隔で言わば外的に遠方視を与えることにより近視や老視を予防するための予防具及びそれを用いた予防方法の提供を目的としている。
【課題を解決するための手段】
【０００５】
本発明による近視・老視予防具（以下、「予防具」という場合もある。）は、所定の焦点距離を与えるレンズ状態と前記焦点距離とは異なる焦点距離を与える前記レンズ状態とは異なるレンズ状態に変化可能な視距離調整手段を一対備えると共に、この両視距離調整手段のレンズ状態を所定の時間間隔で変化させるように制御するための制御手段を備えてなる。
本発明による予防具は、また、異なる焦点距離を与える異なるレンズ状態に変化可能な視距離調整手段を一対備えると共に、この両視距離調整手段のレンズ状態を所定の時間間隔で変化させるように制御するための制御手段を備えてなる。
或いは、本発明による予防具は、第１の焦点距離を与える第１のレンズ状態と第１の焦点距離とは異なる第２の焦点距離を与える第２のレンズ状態とに変化可能な視距離調整手段を一対備えると共に、この両視距離調整手段の第１のレンズ状態と第２のレンズ状態とを所定の時間間隔で変化させるように制御するための制御手段を備えてなる。
【０００６】
この予防具を用いての近視や老視の予防は、予防具の両視距離調整手段を装着して用いた状態で行う。その状態で、制御手段が両視距離調整手段のレンズ状態を所定の時間間隔で変化させる。これにより、使用者は強制的に遠方視を行うことになるので、知らず知らずの内に近視や老視の防止が図られる。
【０００７】
本発明における予防具は、眼鏡様に装着することで、使用者が、一対の前記視距離調整手段を通して外部を見られるようにされてなるものであってもよい。
本発明の予防具を用いる近視・老視予防方法は、予防具の両視距離調整手段を眼鏡様に装着して用いた状態で、制御手段が両視距離調整手段を制御することにより、近傍視状態のままで所定時間について遠方視の状態を与えるものである。
【０００８】
視距離調整手段としては、形状調節が可能な透明体を用いる構造、つまり両面が平面である非レンズ状態と両面乃至片面が球面状態であるレンズ状態を選択的にとれる透明体を用いる構造がその一つとして可能である。このような透明体としては、例えば適当な液体を伸縮可能な素材で形成した密閉構造の透明な収納体に充填し且つ収納体の周囲を適宜なフレームで固めた構造としたものなどが可能で、この場合には収納体内の液体量を調節することにより、非レンズ状態とレンズ状態の調節を行える。また、例えばシリコーンゲルを用いて透明体を形成すると、電場のかけ方により形状の調整が可能であるというシリコーンゲルの特性を利用して非レンズ状態とレンズ状態との可変化が可能である。
【０００９】
視距離調整手段として可能な他の一つは、所定の視距離を与えるレンズを適宜なフレーム体で保持させ、このフレーム体内で当該レンズを移動させて視野内に選択的に位置決めさせる構造がある。
【発明を実施するための最良の形態】
【００１０】
以下、本発明の実施例を説明する。
第１実施例（図１及び図２）
この実施例は、液体充填の透明体を視距離調整手段として用いた例である。即ち、予防具１は、所定の屈折率を持つ液体を伸縮可能で透明な素材製で密閉構造に形成した収納体に充填してなる一対の透明体２、２を眼鏡状の構造でそれぞれフレーム体３に保持させ、この両透明体２、２の液体量をフレーム体３のつる部３ｔに取り付けた制御手段４により調整できるようにしてなっている。制御手段４は、プログラム的な制御機能を備えており、これに基づいて両透明体２、２の液体量を所定の時間間隔で変化させそれぞれの液体量に対応して一定時間その状態を保つ制御を行うようになっている。具体的には、両フレーム体３、３を接続する接続部材５を管構造とし、この接続部材５の各端部を各収納体に接続すると共に接続部材５に制御手段４からの供給管６を接続しており、この供給管６を介して制御手段４による液体量調整を伝えるようにしている。そして、これに応じて両透明体２、２は、液体量が少ない状態で両面が平面である非レンズ状態となり、液体量が多い状態で両面が球面であるレンズ状態となる。
【００１１】
第２実施例（図３）
この実施例は、レンズ移動式の視距離調整手段を用いた例である。即ち、予防具１０は、フレーム体１１にレンズ１２を矢示Ｘの如く移動可能に保持させた視距離調整手段１３を眼鏡状に一対組み合わせ構造とされ、この各視距離調整手段１３のレンズ１２に図示せぬ制御手段により前記移動を行わせるようにしてなっている。そして、図に実線で示す位置にレンズ１２が位置している状態が非レンズ状態、つまり通常の視距離を与える状態であり、通常の近傍視となり、図に想像線で示す位置にレンズ１２が位置している状態がレンズ状態、つまり遠方視様の視距離を与える状態であり、近傍視状態のままで遠方視となる。
【図面の簡単な説明】
【００１２】
【図１】本発明の第１実施例による予防具を模式的に示す斜視図。
【図２】図１の予防具の断面図。
【図３】本発明の第２実施例による予防具を模式的に示す正面図。
【符号の説明】
【００１３】
１  予防具
２  透明体（視距離調整手段）
４  制御手段
１０  予防具
１１  フレーム体
１２  レンズ
１３  視距離調整手段
【図１】
2005000684.tif 000003
【図２】
2005000684.tif 000004
【図３】
2005000684.tif 000005